(57)【要約】【課題】子供の特定の行動に係るしつけに関し主ユーザの利便性を向上させるシステムを提供する。【解決手段】主ユーザから子供のしつけのための行動項目の登録をネットワークを介して受け付ける受付手段と、予め定められた社会集団内のユーザに限定して子供の行動項目に対する評価の入力の機会を与える付与手段と、ユーザからの評価の入力をネットワークを介して受け付ける手段と、行動項目に対する評価を用いて、子供の達成度に関する情報を主ユーザに提供する提供手段と、を有するシステム。【選択図】図２
2020004109.tif 000002
【特許請求の範囲】
【請求項１】
主ユーザから子供のしつけのための行動項目の登録をネットワークを介して受け付ける受付手段と、
予め定められた社会集団内のユーザに限定して前記子供の前記行動項目に対する評価の入力の機会を与える付与手段と、
前記ユーザからの前記評価の入力をネットワークを介して受け付ける手段と、
前記行動項目に対する前記評価を用いて、前記子供の達成度に関する情報を前記主ユーザに提供する提供手段と、
を有するシステム。
【請求項２】
前記ユーザは、前記子供の識別情報を取得し、当該識別情報から前記評価の入力の機会を得ることを特徴とする請求項１記載のシステム。
【請求項３】
前記ユーザからの前記評価に応じたポイントに関するポイント情報を前記主ユーザに提供するポイント提供手段をさらに有することを特徴とする請求項１記載のシステム。
【請求項４】
前記社会集団は、前記主ユーザと共通のコミュニティに属する者および／または前記子供と共通のコミュニティに属する子供の保護者からなる集団であり、
前記受付手段は、前記コミュニティごとに前記行動項目の登録を受け付け、
前記付与手段は、前記ユーザに対して、当該ユーザに係る前記コミュニティに関して前記受付手段に受け付けられた前記行動項目に対する前記評価の機会を与えることを特徴とする請求項１記載のシステム。
【請求項５】
前記ユーザによる前記評価の対象となる前記行動項目は、前記主ユーザによりユーザごとに選択された行動項目であることを特徴とする請求項１記載のシステム。
【請求項６】
前記提供手段により、登録された前記行動項目を確認可能な確認画面が表示され、
前記確認画面には、前記子供の前記行動項目に対する前記評価に関する評価情報が表示されることを特徴とする請求項１記載のシステム。
【請求項７】
前記評価情報は、前記行動項目における前記子供の達成具合を示す情報であることを特徴とする請求項６記載のシステム。
【請求項８】
前記社会集団内のユーザから、子供の行動に関する行動情報の登録をネットワークを介して受け付ける行動情報受付手段をさらに備え、
前記受付手段は、前記行動情報受付手段により前記行動情報の登録が受け付けられると、前記行動に関する行動項目の登録を受け付けることを特徴とする請求項１記載のシステム。
【請求項９】
前記ユーザの子供の行動項目に対する評価の入力の機会を前記主ユーザに与えることが可能であり、
前記提供手段により、前記評価の入力の機会を与えるユーザを設定するための設定画面が表示され、
前記設定画面には、前記主ユーザが前記ユーザの子供に係る前記評価の入力の機会を与えられたか否かを識別可能な情報が表示されることを特徴とする請求項１記載のシステム。
【発明の詳細な説明】
【技術分野】
【０００１】
本発明は、ある限られたコミュニティ内にてなされた子供の行動項目に対する評価を用い、この評価から得られた子供の達成度に関する情報を主ユーザに提供するシステムに関する。
【背景技術】
【０００２】
例えば特許文献１には、ユーザ以外の他者が使用する第１通信端末からネットワークを介して送信されるユーザに関する各種情報を記憶する他者評価情報記憶手段と、他者評価情報記憶手段に記憶されたユーザに関する各種情報に基づいて、ユーザの社会的評価の程度を示すソーシャルランクを決定するソーシャルランク決定手段と、ネットワークを介して接続された、企業担当者が使用する第２通信端末にソーシャルランク決定手段により決定されたユーザのソーシャルランクを表示させる表示手段を備える人材評価サポートサーバが記載されている。
また、特許文献２には、第１のユーザが発信した第１の情報に対して第２のユーザが評価した第１の評価情報、または、第２のユーザが発信した第２の情報に対して第１のユーザが評価した第２の評価情報を取得する取得部と、第１のユーザと関連付けられるコミュニティに属する第３のユーザについて、第１の評価情報または第２の評価情報によって特定される評価値と、第１のユーザとの関連度に応じた所定値を用いて、第３のユーザに対する評価値を生成する生成部とを有する情報評価装置が記載されている。
【先行技術文献】
【特許文献】
【０００３】
【特許文献１】特開２０１４−０３８４４２号公報
【特許文献２】特開２０１５−０４１２３７号公報
【発明の概要】
【発明が解決しようとする課題】
【０００４】
例えば、親などの主ユーザが子供の特定の行動に係るしつけを行うことがあるが、主ユーザのみならず予め定められた社会集団内のユーザが子供の特定の行動を目にすることがある。
ここで、例えば、社会集団内のユーザが目にした子供の特定の行動に関する情報を活用し、子供の特定の行動に関する情報を主ユーザに提供するシステムが導入されると、子供の特定の行動に係るしつけに関し主ユーザの利便性が向上する。
【０００５】
本発明は、子供の特定の行動に係るしつけに関し主ユーザの利便性を向上させるシステムを提供することを目的とする。
【課題を解決するための手段】
【０００６】
かかる目的のもと、本発明は、主ユーザから子供のしつけのための行動項目の登録をネットワークを介して受け付ける受付手段と、予め定められた社会集団内のユーザに限定して前記子供の前記行動項目に対する評価の入力の機会を与える付与手段と、前記ユーザからの前記評価の入力をネットワークを介して受け付ける手段と、前記行動項目に対する前記評価を用いて、前記子供の達成度に関する情報を前記主ユーザに提供する提供手段と、を有するシステムである。
ここで、前記ユーザは、前記子供の識別情報を取得し、当該識別情報から前記評価の入力の機会を得ることを特徴とすることができる。
また、前記ユーザからの前記評価に応じたポイントに関するポイント情報を前記主ユーザに提供するポイント提供手段をさらに有することを特徴とすることができる。
また、前記社会集団は、前記主ユーザと共通のコミュニティに属する者および／または前記子供と共通のコミュニティに属する子供の保護者からなる集団であり、前記受付手段は、前記コミュニティごとに前記行動項目の登録を受け付け、前記付与手段は、前記ユーザに対して、当該ユーザに係る前記コミュニティに関して前記受付手段に受け付けられた前記行動項目に対する前記評価の機会を与えることを特徴とすることができる。
また、前記ユーザによる前記評価の対象となる前記行動項目は、前記主ユーザによりユーザごとに選択された行動項目であることを特徴とすることができる。
さらに、前記提供手段により、登録された前記行動項目を確認可能な確認画面が表示され、前記確認画面には、前記子供の前記行動項目に対する前記評価に関する評価情報が表示されることを特徴とすることができる。
また、前記評価情報は、前記行動項目における前記子供の達成具合を示す情報であることを特徴とすることができる。
また、前記社会集団内のユーザから、子供の行動に関する行動情報の登録をネットワークを介して受け付ける行動情報受付手段をさらに備え、前記受付手段は、前記行動情報受付手段により前記行動情報の登録が受け付けられると、前記行動に関する行動項目の登録を受け付けることを特徴とすることができる。
また、前記ユーザの子供の行動項目に対する評価の入力の機会を前記主ユーザに与えることが可能であり、前記提供手段により、前記評価の入力の機会を与えるユーザを設定するための設定画面が表示され、前記設定画面には、前記主ユーザが前記ユーザの子供に係る前記評価の入力の機会を与えられたか否かを識別可能な情報が表示されることを特徴とすることができる。
【発明の効果】
【０００７】
本発明によれば、子供の特定の行動に係るしつけに関し主ユーザの利便性を向上させるシステムを提供することができる。
【図面の簡単な説明】
【０００８】
【図１】本実施形態に係る子供しつけ支援システムの全体構成例を示す図である。
【図２】管理サーバの機能構成例を示した図である。
【図３】副ユーザ管理テーブルの一例である。
【図４】トライ項目管理テーブルの一例である。
【図５】副ユーザ選択画面の一例である。
【図６】依頼受付画面の一例である。
【図７】項目設定画面の一例である。
【図８】依頼項目設定画面の一例である。
【図９】（ａ）、（ｂ）は、依頼項目管理テーブルの一例である。
【図１０】評価受付画面の一例である。
【図１１】通知画面の一例である。
【図１２】子供しつけ支援システムのシーケンス図である。
【図１３】迷惑情報受付画面の一例である。
【図１４】（ａ）、（ｂ）は、迷惑行動通知画面の一例である。
【図１５】迷惑情報が迷惑情報管理部に受け付けられた後における項目設定画面を示す図である。
【発明を実施するための形態】
【０００９】
以下、添付図面を参照して、本発明の実施形態について詳細に説明する。
＜子供しつけ支援システム１の構成＞
図１は、本実施形態に係る子供しつけ支援システム１の全体構成例を示す図である。
本実施形態に係る子供しつけ支援システム１は、子供の特定の行動に関する情報を提供することにより、子供のしつけを支援するシステムである。
【００１０】
子供しつけ支援システム１は、ユーザが所持する端末１０と、管理サーバ２０とを備える。端末１０と管理サーバ２０とは、ネットワーク３０を介して接続されている。
端末１０は、親などの主ユーザ、および予め定められた社会集団に属する副ユーザが所持する端末である。
【００１１】
ここで、予め定められた社会集団とは、主ユーザと共通のコミュニティに属する副ユーザや、主ユーザの子供と共通のコミュニティに属する子供の親である副ユーザからなる集団である。
主ユーザと共通のコミュニティとしては、例えば、主ユーザが居住するマンションやアパート等の集合住宅が挙げられる。
主ユーザの子供と共通のコミュニティとしては、例えば、主ユーザの子供が通う保育園や幼稚園等の教育施設や、主ユーザの子供が習い事を身につけるために通う施設等が挙げられる。
以下では、主ユーザおよび副ユーザを区別せずに説明する場合には、単にユーザと称する。
【００１２】
端末１０には、スマートフォンなどの携帯電話、タブレット型端末などの携帯端末機器など、ユーザが持ち歩くことが可能な装置を用いることができる。なお、端末１０は、例えば、コンピュータ、その他の情報処理装置により実現されてもよい。
本実施形態の端末１０は、タッチパネルが設けられており、画面をユーザがタッチすることで画面に表示される画像に対する操作および指示を行う。
【００１３】
管理サーバ２０は、特定の行動についての主ユーザの子供の達成度に関する情報を提供する。より具体的には、管理サーバ２０は、子供のしつけに係る特定の行動に関する項目の登録、および登録された項目に対する評価の依頼を、主ユーザの端末１０から受け付ける。また、管理サーバ２０は、評価の依頼の承諾、および登録された項目に対する評価を、副ユーザの端末１０から受け付ける。そして、管理サーバ２０は、受け付けた評価を用いて、主ユーザの子供の達成度に関する情報を主ユーザの端末１０へ送信する。本実施形態では、子供の評価依頼を行うユーザを主ユーザと称し、評価依頼を受けるユーザを副ユーザと称する。
管理サーバ２０は、例えば、コンピュータにより実現される。管理サーバ２０は、単一のコンピュータにより構成しても良いし、複数のコンピュータによる分散処理により実現しても良い。
【００１４】
ネットワーク３０は、端末１０と管理サーバ２０との間の通信を担う情報通信ネットワークである。ネットワーク３０は、データの送受信が可能であれば、その種類は特に限定されず、例えばインターネット、ＬＡＮ（Local Area Network）、ＷＡＮ（Wide Area Network）等として良い。データ通信に用いられる通信回線は、有線であっても無線であっても良い。また、複数のネットワークや通信回線を介して各装置を接続する構成としても良い。
【００１５】
なお、図１に示す例では、３つの端末１０を示したが、端末１０の台数は図示の３つには限定されない。例えば、２つの端末１０が設けられてもよいし、４つ以上の端末１０が設けられてもよい。また、端末１０は、例えば予め定められた社会集団内のユーザごとに設けられてもよい。
【００１６】
＜管理サーバ２０の機能構成＞
次に、管理サーバ２０の機能構成について説明する。
図２は、管理サーバ２０の機能構成例を示した図である。
管理サーバ２０は、子供しつけ支援システム１の利用を受け付ける利用受付部２１と、主ユーザの子供の行動を評価する評価者の情報を管理する評価者管理部２２と、特定の行動に関する項目を管理する項目管理部２３とを備える。また、管理サーバ２０は、主ユーザの子供の行動に対する評価の情報を管理する評価管理部２４と、主ユーザの子供の達成度に関する情報を送信する達成度情報送信部２５と、子供の迷惑な行動に関する情報を管理する迷惑情報管理部２６とを備える。
【００１７】
利用受付部２１は、ユーザの端末１０から子供しつけ支援システム１の利用の申請を受け付ける。
本実施形態の子供しつけ支援システム１は、予め定められたコミュニティにおいて利用可能になっている。
本実施形態の子供しつけ支援システム１を利用可能なコミュニティに係るユーザは、このコミュニティを特定可能なコード情報（例えばバーコード、二次元コード、ＱＲコード（登録商標））を端末１０から読み取り、読み取ったコード情報を利用受付部２１へ送信する。
【００１８】
利用受付部２１は、コード情報を取得すると、コード情報を送信した端末１０へのログインＩＤの付与や、この端末１０からの暗証番号の登録の受付を行う。そして、ログインＩＤおよび暗証番号が入力された端末１０による子供しつけ支援システム１の利用を許可する。
本実施形態では、子供しつけ支援システム１を利用可能な複数のコミュニティに一のユーザが関連する場合、この一のユーザは、複数のコミュニティのそれぞれにおいて子供しつけ支援システム１の利用が可能になっている。
【００１９】
また、利用受付部２１は、主ユーザの子供の登録を受け付ける。より具体的には、利用受付部２１は、主ユーザの子供を識別するための情報を主ユーザの端末１０から取得すると、主ユーザの子供の登録を受け付ける。この場合に、利用受付部２１は、主ユーザ、主ユーザの子供、主ユーザに係るコミュニティ、およびこのコミュニティにおいて子供しつけ支援システム１の利用が許可されている副ユーザをそれぞれ関連付けて記憶する。また、関連付けて記憶した情報を評価者管理部２２および項目管理部２３へ送信する。
【００２０】
評価者管理部２２は、利用受付部２１にて関連付けられて記憶されている情報を取得すると、この情報を用いて、主ユーザに係るコミュニティに関連する副ユーザの情報を、主ユーザの端末１０に表示させる。評価者管理部２２は、主ユーザの端末１０に表示された副ユーザの中から、主ユーザの子供の行動に対する評価の依頼先としての副ユーザの選択を受け付ける。
【００２１】
また、評価者管理部２２は、評価の依頼先としての副ユーザの選択を受け付けると、受け付けた副ユーザの端末１０に、主ユーザからの評価の依頼の承諾を受け付けるための画面を表示させる。評価者管理部２２は、副ユーザの端末１０を介して評価の依頼の承諾を受け付けると、この端末１０を所持する副ユーザを、主ユーザの子供の行動を評価する評価者として設定する。この場合に、評価者管理部２２は、設定した評価者、主ユーザ、主ユーザの子供、および評価者と主ユーザとが関連するコミュニティをそれぞれ関連付けて記憶する。また、関連付けて記憶した情報を項目管理部２３へ送信する。
【００２２】
受付手段の一例としての項目管理部２３は、子供の行動に関する項目の登録を、主ユーザの端末１０を介して受け付ける。項目管理部２３は、利用受付部２１にて関連付けて記憶されている情報を取得すると、取得した情報を用いて、子供の行動に関する項目の登録を受け付けるための画面を、主ユーザの端末１０に表示させる。
主ユーザは、子供のしつけに関して子供に対して身につけさせたい行動に係る項目を、主ユーザに係るコミュニティごとに登録する。子供のしつけに関して子供に対して身につけさせたい行動に係る項目を、以下では、トライ項目と称する。なお、トライ項目は、子供のしつけのための行動項目として捉えられる。
【００２３】
項目管理部２３は、コミュニティに対応付けられたトライ項目を主ユーザの端末１０から取得すると、取得したトライ項目、トライ項目に対応付けられたコミュニティ、主ユーザ、および主ユーザの子供をそれぞれ関連付けて記憶する。
【００２４】
また、項目管理部２３は、トライ項目についての主ユーザの子供の達成度に関する情報を達成度情報送信部２５から取得すると、取得した情報を、対応するトライ項目に関連付けて記憶する。
また、項目管理部２３は、迷惑情報管理部２６から子供の迷惑な行動（以下、迷惑行動と称する）に関する情報を取得すると、取得した情報により特定される迷惑行動を、新たなトライ項目として登録する。
【００２５】
また、項目管理部２３は、評価者に何れのトライ項目に対する評価を依頼するかの選択を受け付ける。項目管理部２３は、評価者管理部２２にて関連付けられて記憶されている情報を取得すると、この情報を用いて、評価者に評価を依頼するトライ項目の選択を受け付けるための画面を、主ユーザの端末１０へ表示させる。
評価者に評価を依頼するトライ項目の選択を主ユーザの端末１０を介して受け付けると、項目管理部２３は、評価者、主ユーザ、主ユーザの子供、主ユーザと評価者とが関連するコミュニティ、および受け付けたトライ項目をそれぞれ関連付けて記憶する。また、関連付けて記憶した情報を評価管理部２４へ送信する。
【００２６】
評価管理部２４は、項目管理部２３にて関連付けられて記憶されている情報を取得すると、取得した情報を用いて、評価者の端末１０に、この評価者に対して評価の依頼がされたトライ項目を評価させるための画面を表示させる。
評価管理部２４は、評価者の端末１０から、トライ項目に対する評価を取得すると、取得した評価を、項目管理部２３から取得した情報に関連付けて記憶する。より具体的には、取得した評価を、項目管理部２３から取得した情報のうちの評価に係るトライ項目に関連付けて記憶する。また、関連付けて記憶した情報を、達成度情報送信部２５へ送信する。
【００２７】
達成度情報送信部２５は、評価管理部２４にて関連付けられて記憶されている情報を取得すると、取得した情報を用いて、評価者による評価を、この評価に係るトライ項目とともに、主ユーザの端末１０へ送信する。
また、達成度情報送信部２５は、評価管理部２４から取得した情報を用いて、トライ項目に係る評価についての情報を、項目管理部２３へ送信する。
【００２８】
行動情報受付手段の一例としての迷惑情報管理部２６は、子供の迷惑行動に関する情報（以下、迷惑情報と称する）の端末１０からの入力を受け付ける。迷惑情報管理部２６は、端末１０から、迷惑情報および迷惑行動をした子供の情報を取得する。そして、迷惑行動をした子供に係るコミュニティに関連する全てのユーザの端末１０に、迷惑情報を送信する。この場合に、迷惑情報管理部２６は、迷惑行動をした子供の親が所持する端末１０に対して、迷惑情報とともに迷惑行動をした子供の情報を送信する。一方、迷惑行動をしていない子供の親が所持するユーザの端末１０には、迷惑情報を送信するが、迷惑行動をした子供の情報は送信しない。
【００２９】
図３は、副ユーザ管理テーブルの一例である。
図３に示す副ユーザ管理テーブルは、主ユーザに係るコミュニティに関連する副ユーザを管理するためのテーブルである。副ユーザ管理テーブルは、評価者管理部２２に格納されている。また、副ユーザ管理テーブルは、主ユーザごとに設けられている。
副ユーザ管理テーブルには、以下の項目が設けられている。本実施形態の副ユーザ管理テーブルに設けられる項目は、「主ユーザ」、「子供」、「コミュニティ」、「主ユーザ属性」、「副ユーザ」、「副ユーザ属性」、「被評価中」、「評価中」である。
【００３０】
「主ユーザ」の項目には、主ユーザを識別する情報が示されている。図示の例では、「主ユーザ」の項目には、主ユーザの名前が示されている。
「子供」の項目には、主ユーザの子供を識別する情報が示されている。図示の例では、「子供」の項目には、主ユーザの子供の名前が示されている。
「コミュニティ」の項目には、主ユーザに係るコミュニティを識別する情報が示されている。図示の例では、「コミュニティ」の項目には、コミュニティ名として、「マンション０１」および「幼稚園Ａ」が示されている。本実施形態では、主ユーザＡは、マンション０１のコミュニティおよび幼稚園Ａのコミュニティにおける子供しつけ支援システム１の利用が許可されている。
【００３１】
「主ユーザ属性」の項目には、主ユーザに係るコミュニティにおける主ユーザの属性が示されている。本実施形態では、「マンション０１」のコミュニティにおけるユーザの属性として、ユーザが住むマンションの居住棟および部屋番号が示されている。また、「幼稚園Ａ」のコミュニティにおけるユーザの属性として、幼稚園Ａに属する子供（ユーザの子供）のクラスおよび出席番号が示されている。
「副ユーザ」の項目には、副ユーザを識別する情報が示されている。図示の例では、「副ユーザ」の項目には、副ユーザの名前が示されている。
「副ユーザ属性」の項目には、副ユーザに係るコミュニティにおける副ユーザの属性が示されている。
【００３２】
「被評価中」の項目には、副ユーザが主ユーザからの子供の評価の依頼を承諾したか否かが示されている。「被評価中」に示されている「○」は、副ユーザが主ユーザの子供の評価依頼を承諾したことを意味する。
【００３３】
「評価中」の項目には、主ユーザが副ユーザからの子供の評価依頼を承諾したか否かが示されている。「評価中」に示されている「○」は、主ユーザが副ユーザの子供の評価依頼を承諾したことを意味する。
本実施形態では、子供しつけ支援システム１の利用が許可されている全ユーザが、子供の行動に対する評価の依頼を行える。図３に示す例では、ユーザＧは、ユーザＡに対して子供の評価依頼を行っている。そのため、ユーザＧを主ユーザとして捉える場合には、ユーザＡを副ユーザとして捉えられる。
【００３４】
図４は、トライ項目管理テーブルの一例である。
図４に示すトライ項目管理テーブルは、主ユーザの子供に対して設定されたトライ項目を管理するためのテーブルである。トライ項目管理テーブルは、項目管理部２３に格納されている。また、トライ項目管理テーブルは、主ユーザごとに設けられている。
トライ項目管理テーブルには、以下の項目が設けられている。本実施形態のトライ項目管理テーブルに設けられる項目は、「主ユーザ」、「子供」、「コミュニティ」、「トライ項目」、「ポイント」、「追加日」、および「達成割合」である。
【００３５】
「主ユーザ」の項目には、主ユーザを識別する情報が示されている。図示の例では、「主ユーザ」の項目には、主ユーザの名前が示されている。
「子供」の項目には、主ユーザの子供を識別する情報が示されている。図示の例では、「子供」の項目には、主ユーザの子供の名前が示されている。
「コミュニティ」の項目には、主ユーザに係るコミュニティを識別する情報が示されている。図示の例では、「コミュニティ」の項目には、主ユーザに係るコミュニティ名が示されている。
【００３６】
「トライ項目」の項目には、評価者に評価してもらう項目として主ユーザが設定したトライ項目が示されている。本実施形態では、主ユーザに係るコミュニティごとに、トライ項目が示されている。
【００３７】
図示の例では、「あいさつをする」のトライ項目は、マンション０１のコミュニティおよび幼稚園Ａのコミュニティのそれぞれに対応付けられている。その一方で、「家の中に入ったら手洗いをする」、「家の中で走り回らない」、「食べる前に「いただきます」を言う」、「食べ物を残さない」、および「遊んだおもちゃを片付ける」のトライ項目は、マンション０１のコミュニティに対応付けられているが、幼稚園Ａのコミュニティには対応付けられていない。また、「けんかをしない」、「車道に飛び出さない」、および「信号が青になってから横断歩道を渡る」のトライ項目は、幼稚園Ａのコミュニティに対応付けられているが、マンション０１のコミュニティには対応付けられていない。
【００３８】
「ポイント」の項目は、トライ項目を達成したと評価者に評価された場合に加算されるポイント数が示されている。
「追加日」の項目には、トライ項目が設定された日付が示されている。
「達成割合」の項目には、トライ項目を達成したか否かの評価が副ユーザにより行われた回数に対する、このトライ項目を達成したと副ユーザに評価された回数の割合が示されている。
【００３９】
図５は、本実施形態における副ユーザ選択画面４０の一例である。図６は、依頼受付画面５０の一例である。
図５に示す副ユーザ選択画面４０は、評価者管理部２２が主ユーザの端末１０に表示させる画面である。副ユーザ選択画面４０は、例えば主ユーザによる端末１０の操作に基づいて表示される。
【００４０】
副ユーザ選択画面４０は、主ユーザの子供の行動に対する評価の依頼先としての副ユーザを選択するための画面である。副ユーザ選択画面４０には、主ユーザの名前が示された主ユーザ名表示部４１と、評価の依頼先としての副ユーザの選択を促すための促進部４２と、評価の依頼先としての副ユーザを選択するための複数の副ユーザ選択部４３とが表示されている。また、副ユーザ選択画面４０には、主ユーザに係るコミュニティを選択するためのコミュニティ選択部４５が表示されている。
【００４１】
主ユーザがコミュニティ選択部４５に表示されているコミュニティに対応するチェックボックスを選択すると、選択したチェックボックスに対応するコミュニティに関連する副ユーザの副ユーザ選択部４３が表示される。言い換えると、主ユーザがコミュニティ選択部４５から何れかのコミュニティを選択すると、副ユーザ管理テーブル（図３参照）にて管理されている副ユーザのうち選択されたコミュニティに対応付けられている副ユーザの副ユーザ選択部４３が表示される。
【００４２】
主ユーザＡがコミュニティ選択部４５にて「全て」のチェックボックスを選択した場合、副ユーザ選択画面４０には、「幼稚園Ａ」に関連する副ユーザの副ユーザ選択部４３および「マンション０１」に関連する副ユーザの副ユーザ選択部４３が表示される。主ユーザＡが「幼稚園Ａ」のチェックボックスを選択した場合、副ユーザ選択画面４０には、「幼稚園Ａ」に関連する副ユーザの副ユーザ選択部４３が表示される。
図示の例では、コミュニティ選択部４５にて「マンション０１」のチェックボックスが選択されている。この場合、副ユーザ選択部４３にてマンション０１のコミュニティに対応付けられている副ユーザが表示される。
【００４３】
副ユーザ選択部４３には、副ユーザの名前およびこの副ユーザに関連するコミュニティにおける副ユーザの属性が表示されている。図示の例では、副ユーザの属性として、副ユーザが住むマンションの居住棟および部屋番号が示されている。また、副ユーザ選択部４３には、主ユーザが副ユーザからの子供の評価依頼を承諾したことを示す承諾情報４４が含まれている。そのため、主ユーザは、副ユーザ選択部４３に表示されている副ユーザが、主ユーザが評価をしている子供に係る副ユーザであるか否かに基づいて、評価の依頼先としての副ユーザを選択することができる。承諾情報４４は、主ユーザが副ユーザの子供に係る評価の入力の機会を与えられたか否かを識別可能な情報として捉えられる。
【００４４】
主ユーザが１以上の副ユーザ選択部４３を選択して決定ボタン４６を押下すると、評価者管理部２２は、図６に示すように、依頼受付画面５０を、選択された副ユーザ選択部４３に示された副ユーザの端末１０に表示させる。
図５に示した例では、副ユーザＣの副ユーザ選択部４３および副ユーザＦの副ユーザ選択部４３が選択されている。この状態において主ユーザが決定ボタン４６を押下すると、副ユーザＣの端末１０および副ユーザＦの端末１０に、依頼受付画面５０が表示される。
【００４５】
図６に示す依頼受付画面５０は、主ユーザからの評価の依頼の承諾を受け付けるための画面である。図６は、副ユーザＣの端末１０に表示される依頼受付画面５０を示した図である。
依頼受付画面５０には、副ユーザの名前が示された副ユーザ名表示部５１と、評価の依頼がされたことを通知するための通知部５２と、主ユーザの子供に関する情報が示された子供情報部５３とが表示されている。また、依頼受付画面５０には、主ユーザに関する情報が示された主ユーザ情報部５４と、主ユーザが副ユーザからの子供の評価依頼を承諾していることが示された承諾情報部５５とが表示されている。
【００４６】
子供情報部５３には、子供の外見を識別するための顔写真と、子供の名前とが表示されている。本実施形態では、ユーザの子供の顔写真を子供しつけ支援システム１に登録可能になっている。
主ユーザ情報部５４には、主ユーザの名前、副ユーザと主ユーザとが関連するコミュニティ名、および関連するコミュニティにおける主ユーザの属性に関する属性情報が表示されている。図示の例では、属性情報として、主ユーザが住むマンションの居住棟および部屋番号が表示されている。
【００４７】
副ユーザが「依頼を受ける」ボタン５６を押下すると、評価者管理部２２は、この副ユーザを、主ユーザの子供の評価者に設定する。副ユーザが「依頼を受けない」ボタン５７を選択すると、評価者管理部２２は、このユーザを評価者に設定しない。
副ユーザＣおよび副ユーザＦが何れも主ユーザからの評価依頼を受けた場合、図３に示す副ユーザ管理テーブルにおいて、副ユーザＣおよび副ユーザＦの「評価中」の項目に「○」が書き込まれる。
【００４８】
図７は、項目設定画面６０の一例である。
図７に示す項目設定画面６０は、項目管理部２３が主ユーザの端末１０に表示させる画面である。
【００４９】
項目設定画面６０は、トライ項目を設定するための画面である。項目設定画面６０は、例えば、予め定められた時間（例えば、毎朝７時）に主ユーザの端末１０に表示される。また、項目設定画面６０は、例えば主ユーザによる端末１０の操作に基づいて表示される。
項目設定画面６０には、主ユーザの名前が示された主ユーザ名表示部６１と、日付が示された日付表示部６２と、トライ項目の設定を主ユーザに促すための情報が示された促進部６３とが表示されている。また、項目設定画面６０には、設定されているトライ項目に関する情報が示されたトライ項目情報部６４と、トライ項目を新たに設定するための設定部６９と、トライ項目の設定を終了するための終了ボタン７７とが表示されている。
【００５０】
トライ項目情報部６４には、以下の項目が設けられている。本実施形態のトライ項目情報部６４に設けられる項目は、「トライ項目６５」、「コミュニティ６６」、「評価情報６７」、および「ポイント６８」である。
トライ項目６５は、主ユーザにより設定されたトライ項目である。
コミュニティ６６は、トライ項目に対応付けられているコミュニティである。
【００５１】
評価情報６７には、トライ項目６５に対する評価に関する情報が示されている。
評価情報６７に設けられている項目について説明する。評価情報６７には、「達成」、「未達成」、「得意」、および「苦手」の項目が設けられている。
「達成」の項目は、トライ項目６５を達成したと評価者に評価されたことがあることを意味する。
「未達成」の項目は、トライ項目６５を達成できなかったと評価者に評価されたことがあり且つ、このトライ項目６５を達成したと評価者に評価されたことがないことを意味する。
【００５２】
「得意」の項目は、トライ項目６５を達成したか否かの評価が評価者に行われた回数のうちの、このトライ項目６５を達成したと評価された回数の割合が予め定められた上限割合（例えば８割）以上であることを意味する。
「苦手」の項目は、トライ項目６５を達成したか否かの評価が評価者に行われた回数のうちの、このトライ項目６５を達成したと評価された回数の割合が予め定められた下限割合（例えば２割）以下であることを意味する。
また、「得意」の項目および「苦手」の項目は、トライ項目６５を達成したか否かの評価が予め定められた下限回数（例えば５回）以上されたトライ項目６５に対して表示される。
【００５３】
ポイント６８には、トライ項目６５を達成したと評価された場合に加算されるポイント数が示されている。
設定部６９には、トライ項目を入力するための項目入力部７０と、ポイントを設定するためのポイント設定部７１と、トライ項目に対応付けるコミュニティを設定するためのコミュニティ設定部７５とが表示されている。
【００５４】
ポイント設定部７１には、トライ項目を達成したと評価された場合に加算されるポイント数を示すポイント部７２が表示されている。主ユーザが増ボタン７３を押下するたびに、ポイント部７２に表示されるポイントが１ずつ増加する。また、主ユーザが減ボタン７４を押下するたびに、ポイント部７２に表示されるポイントが１ずつ減少する。
【００５５】
コミュニティ設定部７５には、トライ項目を対応付けるコミュニティを選択するためのチェックボックスがコミュニティごとに設けられている。
主ユーザが項目入力部７０、ポイント部７２、およびコミュニティ設定部７５に各項目を入力して新規設定ボタン７６を押下すると、項目入力部７０に入力されたトライ項目が、ポイント部７２に入力されたポイントおよびコミュニティ設定部７５にてチェックされたコミュニティに関連付けられて登録される。
【００５６】
図８は、依頼項目設定画面８０の一例である。
依頼項目設定画面８０は、項目管理部２３が主ユーザの端末１０に表示させる画面である。
依頼項目設定画面８０は、評価者に評価してもらうトライ項目を設定するための画面である。依頼項目設定画面８０は、例えば、予め定められた時間（例えば、毎朝７時１５分）に主ユーザの端末１０に表示される。また、依頼項目設定画面８０は、例えば主ユーザによる端末１０の操作に基づいて表示される。
【００５７】
依頼項目設定画面８０には、主ユーザの名前が示された主ユーザ名表示部８１と、日付が示された日付表示部８２と、何れのトライ項目の評価を依頼するか設定することを主ユーザに促すための情報が示された促進部８３とが表示されている。また、依頼項目設定画面８０には、依頼先の評価者に関する情報が示された評価者情報部８４と、トライ項目に関する情報が示されたトライ項目情報部８５とが表示されている。
【００５８】
評価者情報部８４には、評価者の名前、評価者と主ユーザとが関連するコミュニティ名、および関連するコミュニティにおける評価者の属性に関する属性情報が表示されている。図示の例では、属性情報として、評価者が居住するマンションの居住棟および部屋番号が表示されている。
トライ項目情報部８５には、トライ項目８６、評価情報８７、およびポイント８８の項目が設けられている。トライ項目８６、評価情報８７、およびポイント８８は、図７に示した項目設定画面６０のトライ項目情報部６４に設けられているトライ項目６５、評価情報６７、およびポイント６８と同一の内容である。
【００５９】
なお、トライ項目情報部８５に表示されるトライ項目８６は、主ユーザと評価者とが関連するコミュニティに対応付けられているトライ項目である。すなわち、主ユーザと評価者とが関連するコミュニティに対応付けられていないトライ項目は、依頼項目設定画面８０に表示されない。
【００６０】
本実施形態では、主ユーザは、評価者ごとに、何れのトライ項目の評価を依頼するかを設定する。
主ユーザが前へボタン８９を選択すると、一つ前の評価者における依頼項目設定画面８０に切り替わる。主ユーザが次へボタン９０を選択すると、一つ先の評価者における依頼項目設定画面８０に切り替わる。
【００６１】
図８に示す例では、評価者である副ユーザＣに評価を依頼するトライ項目として、「あいさつをする」、「家の中に入ったら手洗いをする」、「家の中で走り回らない」、および「遊んだおもちゃを片付ける」が選択されている。この状態において決定ボタン９１が押下されると、上記の４項目が、副ユーザＣに評価を依頼するトライ項目として設定される。
また、図示を省略するが、副ユーザＦに評価を依頼するトライ項目としては、「あいさつをする」が設定されたものとする。
【００６２】
このように、本実施形態では、項目設定画面６０や依頼項目設定画面８０には、主ユーザの子供のトライ項目に対する評価に関する評価情報が表示される。
この場合、主ユーザは、トライ項目に対してされた評価の結果に基づいて、新たに設定するトライ項目や評価者に依頼するトライ項目を選択することができる。
【００６３】
また、本実施形態では、評価情報として、「達成」の項目や「未達成」の項目等、トライ項目についての子供の達成具合を示す情報が表示される。
この場合、主ユーザは、トライ項目についての子供の達成具合に基づいて、トライ項目を評価者に依頼するか否かを選択することができる。
【００６４】
なお、項目設定画面６０および依頼項目設定画面８０は、登録されたトライ項目を確認可能な確認画面として捉えられる。
【００６５】
図９（ａ）、（ｂ）は、依頼項目管理テーブルの一例である。依頼項目管理テーブルは、評価者に評価を依頼したトライ項目を管理するためのテーブルである。依頼項目管理テーブルは、評価管理部２４に格納されている。
図９（ａ）に示す依頼項目管理テーブルには、以下の項目が設けられている。本実施形態の依頼項目管理テーブルに設けられている項目は、「主ユーザ」、「子供」、「コミュニティ」、「トライ項目」、「ポイント」、「評価者」、および「評価」である。
【００６６】
「主ユーザ」の項目には、主ユーザを識別する情報が示されている。図示の例では、「主ユーザ」の項目には、主ユーザの名前が示されている。
「子供」の項目には、主ユーザの子供を識別する情報が示されている。図示の例では、「子供」の項目には、主ユーザの子供の名前が示されている。
「コミュニティ」の項目には、主ユーザに係るコミュニティを識別する情報が示されている。図示の例では、「コミュニティ」の項目には、主ユーザに係るコミュニティ名が示されている。
「トライ項目」の項目には、主ユーザが評価を依頼するトライ項目が示されている。
「ポイント」の項目には、トライ項目を達成したと評価された場合に加算されるポイントが示されている。
【００６７】
「評価者」の項目には、トライ項目に対する評価の依頼先としての評価者が示されている。図９に示すように、依頼項目管理テーブルには、評価を依頼するトライ項目ごとに評価者が対応付けられている。図９に示す例では、「あいさつ」のトライ項目は、評価者である副ユーザＣおよび副ユーザＦに対応付けられている。その一方で、「家の中に入ったら手洗いをする」、「家の中で走り回らない」、および「遊んだおもちゃを片付ける」のトライ項目は、副ユーザＣに対応付けられているが、副ユーザＦには対応付けられていない。
「評価」の項目には、トライ項目に対する評価者による評価が示される。トライ項目に対する評価者による評価が行われていない場合、「評価」の項目は空欄である。
【００６８】
図１０は、評価受付画面１００の一例である。
図１０に示す評価受付画面１００は、評価者によるトライ項目の評価を受け付けるための画面である。評価受付画面１００は、評価管理部２４が評価者の端末１０に表示させる画面である。
【００６９】
評価受付画面１００は、例えば評価者による端末１０の操作に基づいて表示される。より具体的には、依頼項目設定画面８０（図８参照）にて評価者に評価を依頼するトライ項目が設定されると、評価管理部２４は、評価者の端末１０に対して、主ユーザの子供を識別する識別情報を送信する。評価者が取得した識別情報を端末１０に入力すると、評価受付画面１００が表示される。
言い換えると、評価者は、主ユーザの識別情報を取得し、この識別情報から主ユーザの子供のトライ項目に対する評価の入力の機会を得る。さらに言い換えると、評価者の端末１０に識別情報が入力されることにより、この識別情報に対応付けられている主ユーザの子供のトライ項目に対する評価の入力の機会が得られる。
このようにすることで、評価者は、識別情報に対応付けられている主ユーザの子供のトライ項目に対する評価を行うことができる。
【００７０】
評価受付画面１００には、評価者の名前が示された評価者名表示部１０１と、評価を依頼された日付が示された日付表示部１０２と、トライ項目に対する評価を行うことを促すための情報が示された促進部１０３とが表示されている。また、評価受付画面１００には、主ユーザの子供に関する情報が示された子供情報部１０４と、主ユーザに関する情報が示された主ユーザ情報部１０５とが表示されている。さらに、評価受付画面１００には、評価を依頼されたトライ項目に関する情報が示されたトライ項目情報部１０６と、トライ項目を新たに設定するための設定部１１２とが表示されている。
【００７１】
子供情報部１０４には、主ユーザの子供の外見を識別するための顔写真と、この子供の名前とが表示されている。
主ユーザ情報部１０５には、主ユーザの名前と、主ユーザと評価者とが関連するコミュニティと、このコミュニティにおける主ユーザの属性を示す属性情報とが表示されている。図示の例では、属性情報として、主ユーザが住んでいるマンションの居住棟および部屋番号が示されている。
【００７２】
トライ項目情報部１０６には、トライ項目１０７と、評価１０８の項目が示されている。
トライ項目１０７には、評価者に対して評価を依頼されたトライ項目が示されている。
評価１０８の項目には、できたボタン１０９、できていないボタン１１０、および未確認ボタン１１１が設けられている。できたボタン１０９は、主ユーザの子供がトライ項目を達成したと評価するためのボタンである。できなかったボタン１１０は、主ユーザの子供がトライ項目を達成できなかったと評価するためのボタンである。未確認ボタン１１１は、主ユーザの子供がトライ項目を達成したか否かを確認できる状況が存在しなかったことを知らせるためのボタンである。
【００７３】
設定部１１２には、主ユーザの子供が達成した行動を新たに入力するための入力部１１３が表示されている。
図示の例では、入力部１１３に「玄関で脱いだ靴を揃える」という行動の項目が入力されている。この状態において評価者である副ユーザＣが新規設定ボタン１１４を押下すると、トライ項目１０７に、「玄関で脱いだ靴を揃える」が新たに加えられる。加えられた項目の評価１０８には、できたボタン１０９が、選択された状態で設けられる。一方、できていないボタン１１０および未確認ボタン１１１は設けられない。
【００７４】
図示の例では、「あいさつをする」、「家の中に入ったら手洗いをする」、および「玄関で脱いだ靴を揃える」のトライ項目１０７に対して、できたボタン１０９が選択されている。また、「家の中で走り回らない」のトライ項目１０７に対して、できていないボタン１１０が選択されている。また、「遊んだおもちゃを片付ける」のトライ項目１０７に対して、未確認ボタン１１１が選択されている。この状態において副ユーザＣが決定ボタン１１５を押下すると、トライ項目１０７に対する評価が受け付けられる。
また、図示を省略するが、評価者である副ユーザＦにより、評価の依頼がされた「あいさつをする」のトライ項目を達成したとの評価が受け付けられたものとする。
【００７５】
このように、本実施形態では、評価者に対して、この評価者に係るコミュニティに関して項目管理部２３に受け付けられたトライ項目に対する評価の機会を与える。そのため、主ユーザは、評価者に依頼するトライ項目として、この評価者に係るコミュニティに応じたトライ項目を設定することができる。
【００７６】
また、本実施形態では、評価者による評価の対象となるトライ項目は、主ユーザにより評価者ごとに選択されたトライ項目である。そのため、主ユーザは、評価者に依頼するトライ項目として、この評価者に応じたトライ項目を設定することができる。
【００７７】
なお、評価者の端末１０は、主ユーザの子供のトライ項目に対する評価の入力の機会を与える付与手段として捉えられる。また、広義には、評価管理部２４も付与手段の一例として捉えられる。
また、評価管理部２４は、評価者からの評価の入力をネットワーク３０を介して受け付ける手段として捉えられる。
【００７８】
トライ項目に対する評価者による評価が行われると、図９（ｂ）に示すように、依頼項目管理テーブルの内容が更新される。
図９（ｂ）に示す依頼項目管理テーブルには、評価者Ｃにより新たに設定された「玄関で脱いだ靴を揃える」のトライ項目が、設定した評価者Ｃに対応付けられて加えられている。
また、「評価」の項目に、評価者によるトライ項目に対する評価が示されている。すなわち、「あいさつをする」、「家の中に入ったら手洗いをする」、「玄関で脱いだ靴を揃える」のトライ項目の評価には、トライ項目を達成したことを示す「達成」が書き込まれている。また、「家の中で走り回らない」のトライ項目には、トライ項目を達成していないことを示す未達成が書き込まれている。また、「遊んだおもちゃを片付ける」のトライ項目には、トライ項目を達成したか否かを確認できる状況が存在しなかったことを示す「未確認」が書き込まれている。
【００７９】
図１１は、通知画面１２０の一例である。
図１１に示す通知画面１２０は、主ユーザの子供のトライ項目に対する評価を主ユーザに通知するための画面である。通知画面１２０は、評価管理部２４が主ユーザの端末１０に対して表示させる画面である。通知画面１２０は、例えば、予め定められた時間（例えば毎晩１９時）に表示される。また、通知画面１２０は、例えば主ユーザによる端末１０の操作に基づいて表示される。
【００８０】
通知画面１２０には、主ユーザの名前が示された主ユーザ名表示部１２１と、トライ項目に対する評価が行われた日付が示された日付表示部１２２と、評価に係る子供の名前が示された子供表示部１２３とが表示されている。また、通知画面１２０には、達成したと評価されたトライ項目が示された達成表示部１２４と、達成していないと評価されたトライ項目が示された未達成表示部１２５と、達成したか否かを確認できる状況が存在しなかったと評価されたトライ項目が示された未確認表示部１２６とが表示されている。また、通知画面１２０には、当日に加算されたポイントが示された当日ポイント部１３０と、前日に加算されたポイントが示された前日ポイント部１３１と、前日の評価結果を確認するための確認部１３２とが表示されている。
【００８１】
達成表示部１２４、未達成表示部１２５、および未確認表示部１２６には、何れも、トライ項目１２７、評価者１２８、およびポイント１２９の項目が表示されている。
また、初めて達成したと評価されたトライ項目１２７には、トライ項目を初めて達成したと評価されたことを通知するための初達成通知部１３３が表示されている。
また、達成したと評価されたことがないトライ項目１２７には、トライ項目を達成したと評価されたことがないことを通知するための未達成通知部１３４が表示されている。
【００８２】
また、今回の評価により、トライ項目１２７を達成したか否かの評価が評価者に行われた回数のうちの、このトライ項目１２７を達成したと評価された回数の割合が予め定められた上限割合（例えば８割）以上となったトライ項目１２７には、トライ項目１２７を高頻度で達成していることを通知するための高頻度達成通知部１３５が表示されている。
また、評価者によって新たに設定されたトライ項目１２７には、トライ項目１２７が評価者によって追加されたことを示す追加情報１３６が表示されている。
【００８３】
このように、本実施形態では、トライ項目に対する評価者の評価を用いて、主ユーザの子供の達成度に関する情報を主ユーザに提供する。そのため、例えば主ユーザの目の届かない場所で子供がトライ項目に関する行動を行っている場合であっても、主ユーザは、このトライ項目に関し子供の達成度に関する情報を得られる。
この場合、子供のトライ項目に係るしつけに関し主ユーザの利便性が向上する。
【００８４】
なお、主ユーザの端末１０は、トライ項目に対する評価を用いて、主ユーザの子供の達成度に関する情報を主ユーザに提供する提供手段として捉えられる。また、広義には、達成度情報送信部２５も提供手段の一例として捉えられる。
また、主ユーザの端末１０は、評価者からの評価に応じたポイントに関するポイント情報を主ユーザに提供するポイント提供手段として捉えられる。また、広義には、達成度情報送信部２５もポイント提供手段の一例として捉えられる。
【００８５】
続いて、本実施形態の子供しつけ支援システム１の動作例について説明する。
図１２は、本実施形態の子供しつけ支援システム１のシーケンス図である。
図１２に示すように、主ユーザは、端末１０を用いて、主ユーザに係るコミュニティを識別可能なコード情報を読み取り、子供しつけ支援システム１の利用申請を行う（Ｓ１０１）。
管理サーバ２０の利用受付部２１は、主ユーザの端末１０からの利用申請を受け付け、主ユーザによる子供しつけ支援システム１の利用を許可する（Ｓ１０２）。
【００８６】
管理サーバ２０の評価者管理部２２は、例えば主ユーザによる端末１０の操作に基づいて、主ユーザに係るコミュニティに関連する副ユーザの情報を、主ユーザの端末１０に送信する（Ｓ１０３）。
主ユーザの端末１０には、副ユーザ選択画面４０が表示される（Ｓ１０４）。
主ユーザは、副ユーザ選択画面４０から、子供の行動に対する評価の依頼先としての副ユーザを選択する（Ｓ１０５）。
管理サーバ２０の評価者管理部２２は、主ユーザからの評価の依頼に関する情報を、副ユーザの端末１０に送信する（Ｓ１０６）。
【００８７】
副ユーザの端末１０には、依頼受付画面５０が表示される（Ｓ１０７）。
副ユーザは、依頼受付画面５０から、主ユーザからの評価の依頼を承諾する（Ｓ１０８）。
管理サーバ２０の項目管理部２３は、例えば主ユーザによる端末１０の操作に基づいて、主ユーザ、主ユーザの子供、主ユーザに係るコミュニティ、およびこのコミュニティに関連する副ユーザの情報に基づく項目設定画面６０に関する情報を、主ユーザの端末１０に送信する（Ｓ１０９）。
主ユーザの端末１０には、項目設定画面６０が表示される（Ｓ１１０）。
主ユーザは、項目設定画面６０から、トライ項目を設定する（Ｓ１１１）。
【００８８】
管理サーバ２０の項目管理部２３は、例えば主ユーザによる端末１０の操作に基づいて、評価者の情報、およびこの評価者に関連するコミュニティに対応付けられているトライ項目の情報を、主ユーザの端末１０に送信する（Ｓ１１２）。
主ユーザの端末１０には、依頼項目設定画面８０が表示される（Ｓ１１３）。
主ユーザは、依頼項目設定画面８０から、評価者である副ユーザに評価を依頼するトライ項目を設定する（Ｓ１１４）。
【００８９】
管理サーバ２０の評価管理部２４は、主ユーザからの依頼に係るトライ項目の情報を、主ユーザの子供の情報に関連付けて、評価者である副ユーザの端末１０に送信する（Ｓ１１５）。
副ユーザの端末１０には、評価受付画面１００が表示される（Ｓ１１６）。
副ユーザは、評価受付画面１００から、トライ項目に対する子供の評価を行う（Ｓ１１７）。
管理サーバ２０の評価管理部２４は、副ユーザの端末１０から取得した評価に関する情報を、主ユーザの端末１０に送信する（Ｓ１１８）。
主ユーザの端末１０には、通知画面１２０が表示される（Ｓ１１９）。
【００９０】
なお、Ｓ１０３〜Ｓ１０８とＳ１０９〜Ｓ１１１とは行われる順番が逆であってもよい。
また、Ｓ１１２〜Ｓ１１９は、主ユーザから評価者である副ユーザへのトライ項目に対する評価の依頼がされるたびに繰り返し行われる。
【００９１】
図１３は、迷惑情報受付画面１４０の一例である。
図１３に示す迷惑情報受付画面１４０は、子供に関する迷惑情報の入力を受け付けるための画面である。迷惑情報受付画面１４０は、迷惑情報管理部２６がユーザの端末１０に表示させる画面である。迷惑情報受付画面１４０は、例えば、ユーザによる端末１０の操作に基づいて表示される。
【００９２】
迷惑情報受付画面１４０には、端末１０を所持するユーザの名前が示されたユーザ表示部１４１と、ユーザに係るコミュニティを選択するためのコミュニティ選択部１４２と、迷惑行動をした子供を選択するための子供選択部１４３とが表示されている。また、迷惑情報受付画面１４０には、ユーザが迷惑行動を目撃した時刻を入力するための時刻入力部１４４と、迷惑行動の内容を入力するための迷惑行動入力部１４５とが表示されている。
【００９３】
ユーザがコミュニティ選択部１４２からユーザに係るコミュニティのうちの一つを選択すると、選択されたコミュニティに対応付けられている子供選択部１４３が表示される。
子供選択部１４３には、子供の親に関する情報が示された親情報部１４７と、子供に関する情報が示された子供情報部１４８とが表示されている。
親情報部１４７には、親の名前、およびコミュニティ選択部１４２にて選択されたコミュニティにおける親の属性に関する属性情報が表示されている。図示の例では、属性情報として、親が住んでいるマンションの部屋番号が示されている。
子供情報部１４８には、子供の顔写真と子供の名前とが表示されている。子供情報部１４８に対応付けられているチェックボックスをユーザが選択することで、迷惑行動をした子供を選択可能になっている。
【００９４】
図示の例では、子供選択部１４３にてユーザＡの子供であるＡａが選択されており、迷惑行動入力部１４５には、「マンションの階段を走り回る」という行動の項目が入力されている。この状態においてユーザＥが報告１４６ボタンを押下すると、迷惑情報管理部２６は、コミュニティ選択部１４２にて選択されたマンション０１のコミュニティに係る全てのユーザの端末１０に、迷惑行動が行われたことをユーザに通知するための画面を表示させる。
【００９５】
図１４（ａ）、（ｂ）は、迷惑行動通知画面１５０の一例である。迷惑行動通知画面１５０は、迷惑行動が行われたことをユーザに通知するための画面である。
図１４（ａ）に示す迷惑行動通知画面１５０は、迷惑情報受付画面１４０の子供選択部１４３にて選択された子供を持たないユーザの端末１０に表示される画面である。また、図１４（ｂ）に示す迷惑行動通知画面１５０は、子供選択部１４３にて選択された子供を持つユーザの端末１０に表示される画面である。
【００９６】
図１４（ａ）に示す迷惑行動通知画面１５０には、端末１０を所持するユーザ名が示されたユーザ名表示部１５１と、迷惑行動を通知する対象のコミュニティ名が示されたコミュニティ名表示部１５２と、迷惑行動がされたことを通知するための通知部１５３とが表示されている。また、迷惑行動通知画面１５０には、迷惑行動がされた時刻が示された時刻表示部１５４と、迷惑行動の内容が示された行動内容部１５５とが表示されている。
図１４（ａ）に示した迷惑行動通知画面１５０には、迷惑行動の内容が表示されている一方で、迷惑行動をした子供に関する情報は表示されていない。言い換えると、図１４（ａ）に示した迷惑行動通知画面１５０には、迷惑行動をした子供を認識可能な情報が表示されていない。
【００９７】
図１４（ｂ）に示す迷惑行動通知画面１５０には、ユーザ名表示部１５１と、コミュニティ名表示部１５２と、時刻表示部１５４と、行動内容部１５５と、通知部１５６とが表示されている。図１４（ｂ）に示されているコミュニティ名表示部１５２、時刻表示部１５４、および行動内容部１５５は、図１４（ａ）に示されているコミュニティ名表示部１５２、時刻表示部１５４、および行動内容部１５５と同一の内容である。
一方、図１４（ｂ）に示されている迷惑行動通知画面１５０に表示されている通知部１５６には、迷惑行動がされたことを通知するための内容に加えて、迷惑行動をした子供の名前が表示されている。言い換えると、図１４（ｂ）に示した迷惑行動通知画面１５０には、迷惑行動をした子供を認識可能な情報が表示されている。
【００９８】
迷惑情報が迷惑情報管理部２６に受け付けられた場合、トライ項目管理テーブル（図４参照）には、迷惑行動を行った子供に係るコミュニティに対応付けて、迷惑行動に関する項目が新たなトライ項目として加えられる。また、この新たなトライ項目は、迷惑行動を行った子供に係るコミュニティに関連する全ての子供のトライ項目として登録される。
図１５は、迷惑情報が迷惑情報管理部２６に受け付けられた後における項目設定画面６０を示す図である。
項目設定画面６０に示されるトライ項目６５には、迷惑行動として受け付けられた行動に関する項目が追加されている。具体的には、トライ項目６５には、迷惑行動に関する「マンションの階段を走らない」という項目が追加されている。なお、追加された項目の名称は、子供しつけ支援システム１を管理する管理者による編集が可能になっている。
【００９９】
このように、本実施形態では、迷惑情報管理部２６により迷惑情報の登録が受け付けられると、項目管理部２３は、迷惑行動に関するトライ項目の登録を受け付ける。
この場合、主ユーザは、自らが目撃していない迷惑行動に関する子供の評価を評価者に依頼することができる。
【０１００】
なお、本実施形態では、トライ項目に対する達成度に関する評価として、「達成」および「未達成」の２つの項目が設けられているが、これに限定されない。
例えば、達成度に関する段階的な評価として３つ以上の項目が設けられてもよい。この場合に、項目設定画面６０や依頼項目設定画面８０に示される評価情報として、「達成」や「未達成」の代わりに、この３つ以上の項目が表示されてもよい。
また、達成度に関する評価として「達成」および「未達成」の何れか一つのみが設けられてもよい。
【０１０１】
また、本実施形態の項目設定画面６０（図７参照）および依頼項目設定画面８０（図８参照）では、トライ項目に対して「達成」と評価された回数の割合に応じて評価情報に「得意」の項目や「苦手」の項目が表示されるが、これに限定されない。
例えば、予め定められた回数（例えば３回）以上「達成」と評価されたトライ項目に対応付けられる評価情報に「得意」の項目が示されてもよい。また、予め定められた回数（例えば３回）以上「未達成」と評価されたトライ項目に対応付けられる評価情報に「苦手」の項目が示されてもよい。
【０１０２】
また、本実施形態では、主ユーザは、通知画面１２０（図１１参照）に、トライ項目を評価した評価者が表示されているが、これに限定されない。
例えば、通知画面１２０には、トライ項目を評価した評価者を表示しないようにしてもよい。
【０１０３】
また、主ユーザによるトライ項目の依頼、および依頼されたトライ項目に対する評価は、一日ごとに行われてもよいし、その他の予め定められた期間ごとに行われてもよい。
また、主ユーザが登録するトライ項目とは別に、コミュニティに応じて、予め定められたトライ項目が登録されていてもよい。
また、例えば、評価者は、評価を依頼されているトライ項目の他に、主ユーザが子供に対して設定しているトライ項目を閲覧可能であってもよい。この場合に、評価者でない他のユーザが、主ユーザが子供に対して設定しているトライ項目を閲覧できないようにしてもよい。
【０１０４】
また、主ユーザが、主ユーザの子供の評価者となってもよい。すなわち、主ユーザの子供に係る評価受付画面１００を主ユーザの端末に表示させ、主ユーザの子供のトライ項目に対する評価を行い、この評価を用いて、主ユーザの子供の達成度に関する情報を主ユーザの端末１０に表示してもよい。
また、主ユーザが、主ユーザの子供の評価を行う場合、評価受付画面１００にて、コミュニティに関わらず主ユーザの子供に対して登録されている全てのトライ項目を評価可能にしてもよい。
また、本開示は上記の実施形態に何ら限定されるものではなく、本開示の要旨を逸脱しない範囲で種々の形態で実施することができる。
【符号の説明】
【０１０５】
１…子供行動情報提供システム、１０…端末、２０…管理サーバ、３０…ネットワーク、２１…利用受付部、２２…評価者管理部、２３…項目管理部、２４…評価管理部、２５…達成度情報送信部、２６…迷惑情報管理部
【図１】
2020004109.tif 000003
【図２】
2020004109.tif 000004
【図３】
2020004109.tif 000005
【図４】
2020004109.tif 000006
【図５】
2020004109.tif 000007
【図６】
2020004109.tif 000008
【図７】
2020004109.tif 000009
【図８】
2020004109.tif 000010
【図９】
2020004109.tif 000011
【図１０】
2020004109.tif 000012
【図１１】
2020004109.tif 000013
【図１２】
2020004109.tif 000014
【図１３】
2020004109.tif 000015
【図１４】
2020004109.tif 000016
【図１５】
2020004109.tif 000017